(57)【要約】【課題】コネクタから取り外すことなく相手側部品に取り付けることができて、タブの変形を確実に防止できるコネクタ用端子保護キャップを提供する。【解決手段】端子保護キャップ１０はコネクタハウジング２４の外周を包囲可能な筒状をなしコネクタハウジング２４に対して端子金具２１の後方側にスライド可能であって、コネクタ２０をフレーム３０に取り付けるときにフレーム３０に当接することでコネクタハウジング２４を包囲する位置から電線２３を包囲する位置まで後方に移動させる当接部１２Ａと、開閉可能に設けられ開放することで電線２３を端子保護キャップ１０の内側から外側に取り出し可能にする開閉部１４とを備える。【選択図】図７
2011119074.tif 000002
【特許請求の範囲】
【請求項１】
電線の端末に接続された端子金具と、前記端子金具をその前端側に設けられた接触部が露出する状態で保持するコネクタハウジングとを備えたコネクタに装着されて前記端子金具の前記接触部を保護する端子保護キャップにおいて、
前記コネクタハウジングの外周を包囲可能な筒状をなし前記コネクタハウジングに対して前記端子金具の後方側にスライド可能なキャップ本体と、
前記キャップ本体に設けられ前記コネクタを相手方部品に取り付けるときに前記相手方部品に当接することで前記キャップ本体を前記コネクタハウジングを包囲する位置から前記電線を包囲する位置まで後方に移動させる当接部と、
前記キャップ本体に開閉可能に設けられ開放することで前記電線を前記キャップ本体の内側から外側に取り出し可能にする開閉部とを備えるコネクタ用端子保護キャップ。
【請求項２】
前記キャップ本体の前記開閉部は、それ以外の部位と比較して薄肉に形成してあることを特徴とする請求項１に記載のコネクタ用端子保護キャップ。
【請求項３】
前記開閉部は、一対の覆い板部により観音開き式に開放可能に設けられていることを特徴とする請求項１又は請求項２記載のコネクタ用端子保護キャップ。
【請求項４】
前記各覆い板部のスリット側端縁部は、互いに重なり合う状態で閉じていることを特徴とする請求項１ないし請求項３のいずれか一項に記載のコネクタ用端子保護キャップ。
【請求項５】
前記キャップ本体には、前記端子金具の接触部を覆う状態で前記コネクタハウジングに係合する係合部が形成されていることを特徴とする請求項１ないし請求項４項のいずれか一項に記載のコネクタ用端子保護キャップ。
【請求項６】
前記コネクタはサブコネクタであって、
前記相手方部品は前記サブコネクタを複数収容することで分割コネクタとなるフレームであることを特徴とする請求項１ないし請求項５のいずれか一項に記載のコネクタ用端子保護キャップ。
【発明の詳細な説明】
【技術分野】
【０００１】
本発明は、コネクタ用端子保護キャップに関する。
【背景技術】
【０００２】
従来より、複数の雄型コネクタをサブコネクタ化し、これらをフレーム内に一括して収容した分割コネクタとして特許文献１に記載のものが知られている。この分割コネクタは、フレーム内に並列に設けられた複数のコネクタ収容室内に、複数の雄型コネクタがそれぞれ挿入されて一括保持する構造である。
【０００３】
このうち雄型コネクタは、複数の雄端子金具と、その雄型端子金具を収納するコネクタハウジングとを備えている。雄型端子金具は、その先端のタブがコネクタハウジングの一方から突出するとともに、その後端に固着された電線がコネクタハウジングの他方から導出されている。さらに、雄型コネクタから露出したタブを保護するための保護キャップが着脱可能に装着されている。この保護キャップは、雄型コネクタがフレームに組み付けられるまでの間、運搬時などにタブが変形・損傷するのを防止する役目を果たしている。フレームに組み付けられると、フレーム側に設けられたフード部により外部からタブを保護できるため、この保護キャップは不要となる。
【先行技術文献】
【特許文献】
【０００４】
【特許文献１】特開２００４−３４８９８９号公報
【発明の概要】
【発明が解決しようとする課題】
【０００５】
ところで、この保護キャップは一般的に、保護キャップを雄型コネクタから取り外した上でフレームに組み付けるため、フレームに収容される直前には保護キャップが取り外されて一時的にタブが露出状態となり、タブの変形や損傷が生じる虞がある。
【０００６】
本発明は上記のような事情に基づいて完成されたものであって、コネクタから取り外すことなく相手側部品に取り付けることができて、タブの変形を確実に防止できるコネクタ用端子保護キャップを提供することを目的とする。
【課題を解決するための手段】
【０００７】
本発明は、電線の端末に接続された端子金具と、前記端子金具をその前端側に設けられた接触部が露出する状態で保持するコネクタハウジングとを備えたコネクタに装着されて前記端子金具の前記接触部を保護する端子保護キャップにおいて、前記コネクタハウジングの外周を包囲可能な筒状をなし前記コネクタハウジングに対して前記端子金具の後方側にスライド可能なキャップ本体と、前記キャップ本体に設けられ前記コネクタを相手方部品に取り付けるときに前記相手方部品に当接することで前記キャップ本体を前記コネクタハウジングを包囲する位置から前記電線を包囲する位置まで後方に移動させる当接部と、前記キャップ本体に開閉可能に設けられ開放することで前記電線を前記キャップ本体の内側から外側に取り出し可能にする開閉部とを備えることに特徴を有する。
【０００８】
このような構造とすれば、端子保護キャップはコネクタハウジングに対して端子金具の後方側にスライド可能であるから、端子保護キャップをコネクタに装着したまま、相手方部品へ取り付けることが可能となる。これにより、端子金具の接触部を外部に露出することなく、コネクタを相手方部品に取り付けることができるから、運搬時だけでなく、取付け時における端子金具の接触部の変形・損傷も防止することができる。また、キャップ本体を電線を包囲する位置まで移動させることができ、その後電線をキャップ本体の内側から外側に取り出し可能にする開閉部が設けられているから、コネクタを相手方部品に取り付けた後に、容易に取り外しができる。
【０００９】
前記キャップ本体の前記開閉部は、それ以外の部位と比較して薄肉に形成してあることが望ましい。このようにすれば、キャップ本体と同一の材質で一体成型しても開閉部の剛性を低くできる。このため、電線をキャップ本体の内側から外側に取り外す際に、開閉部が開閉し易くなるから、取り外し作業を容易なものとすることができる。
【００１０】
前記開閉部は、一対の覆い板部により観音開き式に開放可能に設けられていてもよい。このような構造とすれば、取り外そうとする電線に対して、開閉部は観音開き式に外側へ開放されるから、電線に開放状態の開閉部が引っ掛かることなく、電線からの端子保護キャップの取外し作業をスムーズに行うことができる。
【００１１】
前記各覆い板部のスリット側端縁部は、互いに重なり合う状態で閉じていてもよい。このような構造とすれば、開閉部の板厚を薄くすることなく、境界部であるスリット側端縁部の剛性を他の部位よりも低くすることができる。これにより、端子金具を外部から保護する機能を他の部位と同等としながら開閉部を設けることが可能となる。
【００１２】
前記キャップ本体には、前記端子金具の接触部を覆う状態で前記コネクタハウジングに係合する係合部が設けられていることが望ましい。
【００１３】
前記コネクタはサブコネクタであって、前記相手側部品は前記サブコネクタを複数収容することで分割コネクタとなるフレームである構造であってもよい。本発明は、分割コネクタ用のサブコネクタに対して特に有用である。
【発明の効果】
【００１４】
本発明によれば、コネクタから取り外すことなく相手側部品に取り付けることができて、タブの変形を確実に防止できるコネクタ用端子保護キャップを提供することができる。
【図面の簡単な説明】
【００１５】
【図１】本発明の一実施形態に係る端子保護キャップの斜視図
【図２】端子保護キャップの上面図
【図３】端子保護キャップの側面図
【図４】端子保護キャップの電線側背面図
【図５】図４のＡ−Ａ断面図
【図６】端子保護キャップの開閉部が開いた状態の電線側背面図
【図７】端子保護キャップをサブコネクタに装着した状態の斜視図
【図８】端子保護キャップをサブコネクタの電線側にスライドさせた状態の斜視図
【図９】端子保護キャップをサブコネクタに連なる電線から取り外している状態の斜視図
【図１０】端子保護キャップをサブコネクタに連なる電線から取り外した直後の斜視図
【図１１】サブコネクタがフレームに取り付けられる直前の平面図
【図１２】サブコネクタがフレーム内に挿入された状態の平面図
【発明を実施するための形態】
【００１６】
本発明の一実施形態を図１ないし図１２によって説明する。
本発明の端子保護キャップ１０は、サブコネクタ２０（コネクタに相当する）のタブ２２を覆うようにして装着される。このサブコネクタ２０は、フレーム３０（相手方部品に相当する）のコネクタ収容室３２に各々収容されることで、分割コネクタを構成するものである。以下、図１の手前側を前方、奥側を後方とし、上下左右方向については、すべて図１を基準として説明する。
【００１７】
端子保護キャップ１０は合成樹脂製とされ、図１に示すように、前後方向を開口した角筒状をなしている。後側は、後述するコネクタハウジング２４が収容されるコネクタ収容部１１となっており、コネクタハウジング２４の外形に沿った形状をなしている。前側は、後述するサブコネクタ２０のタブ２２を取り囲んで保持できるタブ収容部１２とされ、その内周形状は、コネクタ収容部１１よりも大きい。即ち、端子保護キャップ１０をコネクタハウジング２４の後方へとスライドできるように、タブ収容部１２は当該コネクタハウジング２４の外周よりも一回り大きい内周形状をなしている（図３参照）。また、タブ収容部１２の前端面は、フレーム３０に当接する当接面１２Ａとなっている。
【００１８】
端子保護キャップ１０の上壁１３の幅方向略中央部には、図１及び図４に示すように、前後方向に沿って開閉部１４が形成されている。この開閉部１４は、図４に示すように左右の上壁１３（一対の覆い板部に相当する）が互いに重なり合って構成されており、この重なり合う外側の部位を第１スリット側端縁部１３Ａ、内側の部位を第２スリット側端縁部１３Ｂとしている。第１スリット側端縁部１３Ａは左側の上壁１３から右方向に延出され内側の肉がくり抜かれるようにして、左側の上壁１３よりも板厚が薄く形成されている。また、第２スリット側端縁部１３Ｂは、右側の上壁１３から左方向に延出され、外側の肉がくり抜かれるようにして、右側の上壁１３よりも板厚が薄く形成されている。この第１スリット側端縁部１３Ａと第２スリット側端縁部１３Ｂとが重なり合った厚さと、開閉部１４以外の上壁１３の板厚とは略同等とされている。なお、コネクタ収容部１１の左右内壁面には、図５に示すように、後述するコネクタハウジング２４の係合凹部２５に係合可能な係合凸部１５（係合部に相当する）が一対設けられている。
【００１９】
この開閉部１４に対して内側から外側へ向かう力を加えると、図６に示すように、第１スリット側端縁部１３Ａと第２スリット側端縁部１３Ｂと共に左右側壁側の上壁１３が弾性変形することにより外側へ向かって観音開き式に筒状の端子保護キャップ１０が開放された状態となる。また、外力が加えられない状態では、開閉部１４は閉じた状態を保つようになっている。
【００２０】
さて、上述した端子保護キャップ１０を装着するサブコネクタ２０は、図７から図１０に示すように、電線２３の端末に接続された雄型端子金具２１と、雄型端子金具２１を収容するコネクタハウジング２４とを備えている。雄型端子金具２１は、導電性に優れた金属板により形成され、その一端のタブ２２は、コネクタハウジング３０の前方から突出して保持される。タブ２２とは反対側の他端には、電線２３の端末が圧着等により固着されている。
【００２１】
この雄型端子金具２１が保持されるコネクタハウジング２４は、合成樹脂製であって、略箱状をなしている。コネクタハウジング２４の左右両側部の前側の位置には、図８に示すように、端子保護キャップ１０を装着した状態を保持するための係合凹部２５が一対設けられている。
【００２２】
さらに、このサブコネクタ２０を収容するフレーム３０について図１１及び図１２を用いて簡単に説明する。フレーム３０は合成樹脂製であって、略箱状をなしている。フレーム３０の前側部分は、前方へと開口した筒状のフード部３１となっている。フレーム３０の後側部分には、各サブコネクタ２０を各々挿入可能なコネクタ収容室３２が複数形成されている。コネクタ収容室３２は、前後方向に貫通しており、各内壁には、コネクタハウジング２４と係合する図示しない係合手段が設けられていることで、サブコネクタ２０が各コネクタ収容室３２に保持され、分割コネクタを構成している。
【００２３】
さて、端子保護キャップ１０をサブコネクタ２０に取り付けるには、端子保護キャップ１０の後方（コネクタ収容部１１側）から、タブ２２が前側となるようにしてサブコネクタ２０を挿入する。サブコネクタ２０を端子保護キャップ１０内に挿入していくと、係合凸部１５に係合凹部２５が係合し、端子保護キャップ１０が装着された状態が保持される（図７参照）。
【００２４】
次に、端子保護キャップ１０の取外しについて、図８から図１０を用いて説明する。まず、取付けとは逆に、端子保護キャップ１０をサブコネクタ２０の電線２３側へと引き抜く。これにより、係合凸部１５と係合凹部２５との係合は解除される。すると、端子保護キャップ１０は、図８に示すようにサブコネクタ２０を挿通し、電線２３の外周に保持された状態となる。この状態から、端子保護キャップ１０の開閉部１４が電線２３にぶつかるように、当該端子保護キャップ１０を下側へと引っ張る。すると、開閉部１４は、電線２３にぶつかることで撓み変形し、端子保護キャップ１０は開いた状態となる（図９参照）。そのままさらに端子保護キャップ１０を下側へと引っ張ると、図１０のように開いた状態の端子保護キャップ１０を電線２３から取り外すことができる。
【００２５】
続いて、実際の利用方法であるフレーム３０へのサブコネクタ２０の組み付けについて説明する。まず、端子保護キャップ１０を装着したサブコネクタ２０を図１１に示すように、フレーム３０のコネクタ収容室３２に挿入する。具体的には、フレーム３０の挿入側（コネクタ収容室３２側）の側面に端子保護キャップ１０の当接面１２Ａを当接し、端子保護キャップ１０内をスライドするようにして、サブコネクタ２０をコネクタ収容室３２内に挿入していく。すると、当接面１２Ａがその側面に当接することで、端子保護キャップ１０の係合凸部１５とサブコネクタ２０の係合凹部２５との係合が解除され（図１２参照）、端子保護キャップ１０はサブコネクタ２０の外周に保持された状態で、電線２３側へと移動する。
【００２６】
そして、電線２３の外周に保持された状態の端子保護キャップ１０を、図９と同様に、開閉部１４を電線２３にぶつけるようにして下側へと引っ張る。これにより、端子保護キャップ１０をサブコネクタ２０から取り外すことができる。このようにして、端子保護キャップ１０を装着したまま、サブコネクタ２０をフレーム３０に取り付け、その取付け後に電線２３側から不要となった端子保護キャップ１０を取り外すことができる。
【００２７】
以上説明したように、本実施形態によれば、端子保護キャップ１０を装着したままサブコネクタ２０をフレーム３０に押し込んでいくことができるから、サブコネクタ２０のフレーム３０への取付け時にタブ２２が外部に露出しない。これにより、運搬時だけでなく、組付け時においてもタブ２２を保護し、その損傷・変形を防ぐことができる。
【００２８】
さらに、端子保護キャップ１０を装着したままサブコネクタ２０を組み付ける構造により、従来のようにサブコネクタ２０から端子保護キャップ１０を取り外した後でフレーム３０に組み付けるといった一手間が必要がない。また、サブコネクタ２０をフレーム３０に組み付けた後にも、端子保護キャップ１０は電線２３周りに保持された状態であるから、端子保護キャップ１０がサブコネクタ２０から勝手に外れることなく、取り扱いに優れる。よって、不要となった端子保護キャップ１０の回収作業の効率をよくすることができる。
【００２９】
加えて、上壁１３は予め開閉部１４が開きやすいように、他の外壁よりも板厚が薄くなるように設定されているのだが、この板厚の薄さを補うように第１スリット側端縁部１３Ａと第２スリット側端縁部１３Ｂを互いに重ね合わせた構造となっている。これにより、開閉部１４におけるタブ２２を外部から保護する機能を他の上壁１３部分と同等としながら、開閉部１４の剛性を低くし、開閉し易い構造としている。
【００３０】
また、開閉部１４を観音開き式に外側へと開放される構造とすることにより、電線２３に開放状態の開閉部１４が引っ掛かることなく、電線２３からの端子保護キャップ１０の取外し作業をスムーズに行うことができる。
【００３１】
＜他の実施形態＞
本発明は上記記述及び図面によって説明した実施形態に限定されるものではなく、例えば次のような実施形態も本発明の技術的範囲に含まれる。
【００３２】
（１）上記一実施形態では、上壁１３に開閉部１４が形成されていたが、これに限られず、例えば、左右の側壁上に形成されていてもよい。このようにすれば、例えば上下方向に端子保護キャップ１０を引き抜くスペースがない場合においても、適用可能である。
（２）上記一実施形態では、開閉部１４は、前後方向に沿って開くように形成されていたが、これに限られず、端子保護キャップ１０を開環する方向に、開閉部１４が形成されていればよい。
（３）上記一実施形態では、開閉部１４は観音開き式に外側へと開放されるように形成されていたが、これに限られず、例えば、開閉部１４は片開きであってもよい。
（４）上記一実施形態では、端子保護キャップ１０は、フレーム３０に組み付けるサブコネクタ２０に適用されていたが、これに限られず、例えば、コネクタハウジング２４から端子金具が突出した態様をなす雄型コネクタ等に適用されてもよい。
【符号の説明】
【００３３】
１０…端子保護キャップ
１１…コネクタ収容部
１２…タブ収容部
１３…上壁
１４…開閉部
１５…係合凸部
２０…サブコネクタ
２１…雄型端子金具
２２…タブ
２３…電線
２４…コネクタハウジング
２５…係合凹部
３０…フレーム
３１…フード部
３２…コネクタ収容室
【図１】
2011119074.tif 000003
【図２】
2011119074.tif 000004
【図３】
2011119074.tif 000005
【図４】
2011119074.tif 000006
【図５】
2011119074.tif 000007
【図６】
2011119074.tif 000008
【図７】
2011119074.tif 000009
【図８】
2011119074.tif 000010
【図９】
2011119074.tif 000011
【図１０】
2011119074.tif 000012
【図１１】
2011119074.tif 000013
【図１２】
2011119074.tif 000014